(57)【要約】【課題】  従来の画像読取記録装置では、表示装置を簡素化すると、機能が劣化し、又、動作速度も低下していた。【解決手段】  複写動作開始時に複写開始スイッチを一定時間以内の間隔で押した回数を計数し、その回数を複写枚数として記憶し、複数枚の場合は２枚目以降は読取動作を行わず、圧縮保管されている読取データを使用して複写動作を行なう。【選択図】  図３
2009092936.tif 000002
【特許請求の範囲】
【請求項１】
原稿を読み取るための原稿読取部と、記録紙に画像形成を行うための画像形成部を持つ画像読取記録装置において、読み取った原稿を1枚分格納することが出来ない読取データ格納手段と、１枚の記録紙に画像形成を行う事の出来ない印字データ格納手段と、ひとつのLEDとふたつのスタートキーからなる操作表示手段を持ち、複写部数を設定する複写枚数設定手段と、複数部複写時に原稿読取を一度しか行わないことを特徴とする画像読取記録装置。
【請求項２】
前記操作表示手段は一定間隔以下の間隔でスタートキーを押された場合に計数し、一定時間以上キーが押されなかった場合に計数した枚数分、複写動作することを特徴とする請求項1に記載の画像読取記録装置。
【請求項３】
前記読取部は複数枚複写する時は、スキャン画像を圧縮して保管するためのデータ圧縮保管手段を持ち、１枚複写する時は、前記データ圧縮保管手段を用いずに前記原稿読取と前記画像形成を同期を取りながら動作させることを特徴とする請求項1に記載の画像読取記録装置。
【請求項４】
前記操作表示手段は計数されたLEDの点滅周期を用いて枚数を判別可能にすることを特徴とする請求項1に記載の画像読取記録装置。
【発明の詳細な説明】
【技術分野】
【０００１】
画像読取記録装置の複写機能の部数設定手法と複写動作選択手段に関する。
【背景技術】
【０００２】
特許文献１によれば、複写の開始を指示する複写開始キーの連続投入により複数枚の複写を設定する事が出来る。すべての複写の終了前であれば、増減手段としての主制御部は、常に複写開始キーの投入を受付け、この回数に対応した枚数だけ複写枚数記憶メモリに記憶された複写枚数を増加する。
【特許文献１】特開平５−１８８７０３号公報
【発明の開示】
【発明が解決しようとする課題】
【０００３】
しかしながら、上記した発明では、原稿１枚分以上のメモリを具備しているため、複写終了まで開始キーを受け付けることが出来るが、原稿１枚分以下のメモリしか持たない装置では複写動作時に複数枚か１枚かの判別が出来ないと、各々の動作で優れた複写速度を実現することが出来ない。
【０００４】
また、上記した発明では、枚数の表示を行う表示手段を持つが、低コストの画像読取記録装置では表示装置を持つことが難しいため、本発明では低価格で、高機能な画像読取記録装置を提供することにある。
【課題を解決するための手段】
【０００５】
原稿を読み取るための原稿読取部と、記録紙に画像形成を行うための画像形成部を持つ画像読取記録装置において、読み取った原稿を1枚分格納することが出来ない読取データ格納手段と、１枚の記録紙に画像形成を行う事の出来ない印字データ格納手段と、ひとつのLEDとふたつスタートキーからなる操作表示手段を持ち、複数部の連続複写動作が可能なことを特徴とする。
【発明の効果】
【０００６】
本発明によれば、ひとつのLEDとふたつのスタートキーで、高機能機で実現されている複数枚コピーを高機能機と同等な速度で提供することが出来、操作性に関しても著しい劣化を伴うこと無しに、操作表示装置にかかるコストを削減することが可能である。
【発明を実施するための最良の形態】
【０００７】
以下、添付図面を参照して本発明の好適な実施の形態を詳細に説明する。
【実施例１】
【０００８】
以下、図面を参照して本発明をその好適な実施形態に基づき詳細に説明する
図1は本実施の形態に係る画像形成装置の内部ブロック図である。
【０００９】
１００１は本実施例のメイン基板であり、本基板上に実装されている部品により動作を実行することが出来る。１００２はCPU（中央演算装置）で本実施例の画像読取記録装置の動作させるために、プログラムの実行、及びデータの展開、ハードウェアの制御を全て行っている。１００３はＡＳＩＣ（専用カスタムＬＳＩ）であり、１００２ＣＰＵでは処理速度が間に合わない、データ転送を高速化するためのＤＭＡ（ダイレクトメモリアクセス）、印刷ヘッドの制御に必要な回路などが集積されている。また、外部装置からデータを入力するためのＵＳＢなどの回路もＡＳＩＣに内蔵されている。１００４メモリは本実施例ではＳＤＲＡＭを使用している。このメモリは読取装置から読み取った画像データの蓄積、画像形成装置に出力するための画像処理用のワークバッファ、出力データ蓄積用の印刷用バッファとして使用している。更に１００２ＣＰＵが動作するときのスタック用メモリ、ワーク用メモリとしても使用している。
【００１０】
本実施例のメモリは原稿複写動作時、原稿読取時にも、原稿１枚のデータを格納するだけのメモリ容量を持たない構成となっている。又、印字用メモリとしても、上位装置からの印刷時、原稿複写動作時とも出力画像１ページ分のデータを記憶するだけのメモリ容量を満たしていない構成となっている。このため、本実施例の画像読取記録装置では、１枚コピー時には原稿読取を先行し、印刷部分が１スキャン可能な容量分のデータが蓄積された段階で、印刷部分が処理を開始する仕様となっている。複数枚コピー時には、最初の１枚目の原稿をコピーする時は１枚コピーと同じ動作をするが、その動作と平行して、原稿読取で取得したデータを圧縮して、格納する処理を行う。２枚目以降は読取部を動作させずに圧縮して格納したデータを解凍して印字データとして使用する仕様となっている。このときの本実施例の画像読取記録装置では圧縮格納処理にＪＰＥＧ圧縮の方法を使用している。
【００１１】
１００５プログラムメモリは１００２ＣＰＵを動作させるためのプログラムを格納するための物である。プログラムの中には、メカを駆動するためのテーブル、画像補正用テーブルなども含まれている。１００６印刷部は各種モータを駆動するためのモータドライバー、印刷ヘッドを駆動するための印字ヘッド駆動用回路、各種メカの位置確認用のセンサー入力などが含まれている。１００８は読取部の駆動用回路であり、データを読み取るためのＣＣＤセンサを駆動する回路、ＣＣＤセンサを移動するためのモータドライバーなどが含まれている。１００７は電源コンセントで、１００９電源コードを家庭用コンセントに差し込むことによりＡＣ電源を１０１０電源に供給しその結果として直流電圧を１００１基板に供給している。１０１１は操作パネルで、本実施例の操作パネルはパワーＳＷ、パワーＬＥＤの他はひとつのＬＥＤとふたつのコピースタートＳＷだけの構成となっている。コピー以外の動作の指定はふたつスタートＳＷの同時押下により実現する構成となっている。
【００１２】
図２は、ＡＳＩＣ１００２の構成を示すブロック図である。この図２においては、前述の図面と共通する部分は同じ記号を付与して、それらの説明を省略する。
【００１３】
２００１は内部バス（ＡＳＩＣバス）でありアドレスとデータを使用し、内部の各モジュールを接続している。２００２はＣＰＵインターフェース部で、ＣＰＵ１００２との間でのデータのやり取りの制御を行っている。２００４は操作パネルインターフェース部で、操作パネル１０１１に存在する各種ボタンからの各種操作信号を入力したり、表示部への表示データの出力したりする。２００５はスキャナ関連モジュールであり、スキャナ部１００８を動作させるための各モジュールが存在する。２００６は印刷関連モジュールであり、印刷部１００６を動作させるための各モジュールが存在する。２００３は１００４のメモリ（ＳＤＲＡＭ）を制御するためのＳＤＲＡＭコントローラである。
【００１４】
図３は実施例の表示部詳細図である。３０００は表示部の表示パネル全体を表している。
【００１５】
３００１パワーＬＥＤは３００２パワーＳＷが押されることにより点滅を開始し、装置全体の初期化動作が終了すると点灯に変わる。３００３は各種動作中を知らせるためのＬＥＤで、上位装置からの印刷時、上位装置への原稿読取データの転送時、コピー動作時に点滅する。３００４、３００５はカラーとモノクロのコピー開始ＳＷである。このＳＷはコピー開始時に１秒間以内の間隔で複数回押下されると、ＳＷを押した回数を計数し、コピー枚数として記憶し、コピーを開始し、１枚コピーが終了するたびに記憶した枚数を減算する。またその時、３００３の動作中ＬＥＤは記憶した枚数に合わせて、点滅周期を変更し点滅する。本実施例の装置では、１枚の場合は１Ｈｚで点滅し、１０枚の場合は１０Ｈｚで点滅を繰り返す。ＬＥＤの点滅周期は１枚出力されると、点滅周期を残枚数から算出し点滅を行い、終了後は消灯する。３００６はエラーＬＥＤで、装置が何らかのエラー状態になった場合に点滅する。本実施例では、回復可能エラーの場合はエラーＬＥＤをエラー原因に合わせた回数分点滅する。また、回復不可能エラーの場合はパワーＬＥＤとの交互点滅によりエラーを表示する。
【００１６】
（産業上の利用可能性）
本発明はデジタル画像の印刷を行う画像形成装置およびその制御方法にかかるものであり、本発明のシステムによれば、最小の操作キーと表示装置で複数枚の複写枚数を複写できる装置を提供できる。
【００１７】
また、複写時に複数の複写方式を持つ装置の場合に複写開始時に複写枚数に応じて、複写方法を選択できる装置を提供できる。
【図面の簡単な説明】
【００１８】
【図１】本発明の実施形態に関わる制御に係る主要部の構成図である。
【図２】本発明の実施形態に関わるＡＳＩＣの構成を示すブロック図である。
【図３】本発明の実施形態に関わる操作表示部の平面図である。
【符号の説明】
【００１９】
１００１  制御基板
１００２  中央演算装置（ＣＰＵ）
１００３  ＡＳＩＣ（専用カスタムＬＳＩ）
１００４  メモリ
１００５  プログラムメモリ
１００６  印刷部
１００７  電源コネクタ
１００８  スキャナ部
１００９  電源コード
１０１０  電源
１０１１  操作パネル
２００１  内部バス（ＡＳＩＣバス）
２００２  ＣＰＵインターフェース部
２００３  ＳＤＲＡＭコントローラ部
２００４  操作パネルインターフェース部
２００５  スキャナ関連モジュール
２００６  印刷関連モジュール
３０００  操作パネル
３００１  パワーＬＥＤ
３００２  パワースイッチ
３００３  動作確認ＬＥＤ
３００４  モノクロコピー開始スイッチ
３００５  カラーコピー開始スイッチ
３００６  エラーＬＥＤ
【図１】
2009092936.tif 000003
【図２】
2009092936.tif 000004
【図３】
2009092936.tif 000005